(57)【要約】 【課題】  インキの終了サインを確実に表示できるとともに、軸筒又は筆記部の陰となる筆記方向の部分を視認でき、視覚的にも面白く美的にも優れたインキ終了検知式筆記具を提供することを目的とする。【解決手段】軸筒内のインキ吸蔵体に含浸されたインキを筆記部となるペン先に供給する筆記具であり、上記インキ吸蔵体に含浸されたインキが視認性を有するインキ誘導管を介してペン先に供給されると共に、インキ吸蔵体のインキ終了サインを上記インキ誘導管を視認することにより検知するインキ終了検知式筆記具において、内部にスリット状のインキ流路を設けた略板状にすることによって解決した。【選択図】  図１
2005246606.tif 000002
【特許請求の範囲】
【請求項１】
軸筒内のインキ吸蔵体に含浸されたインキを筆記部となるペン先に供給する筆記具であり、上記インキ吸蔵体に含浸されたインキが、インキ誘導部を介してペン先に供給され、インキ吸蔵体のインキの終了をインキ誘導部を視認することにより検知するインキ終了検知式筆記具において、当該筆記具は少なくとも軸筒の一部、若しくは筆記部に筆記方向を視認できる可視部を備えたことを特徴とするインキ終了検知式筆記具。
【請求項２】
前記可視部内にインキ誘導部を有し、かつインキ吸蔵体のインキの終了は該インキ誘導部を視認することにより検知することを特徴とする請求項１に記載のインキ終了検知式筆記具。
【請求項３】
前記インキ誘導部はスリット状のインキ流路を設けた略板状であることを特徴とする請求項１又は２に記載のインキ終了検知式筆記具。
【請求項４】
前記インキ誘導部の少なくとも下部に上記インキ誘導部からのインキを導出する筆記部を備え、かつインキ誘導部と筆記部とが一体に形成されてなる請求項１〜３に記載のインキ終了検知式筆記具。
【請求項５】
前記インキ誘導部内のスリット状のインキ流路のスリットの最大幅が０．０１ｍｍ以上、１ｍｍ以下であり、スリット幅がペン体の長軸長の４０％以上、１００％未満であることを特徴とする請求項１〜４に記載のインキ終了検知式筆記具。
【請求項６】
前記インキ誘導部が可視光線を３０％以上透過する透明又は半透明部材によって形成されたことを特徴とする請求項１〜５に記載のインキ終了検知式筆記具。
【請求項７】
前記インキ誘導部の可視光線を３０％以上透過する部材が熱可塑性樹脂であることを特徴とする請求項１〜６に記載のインキ終了検知式筆記具。
【請求項８】
前記インキ誘導部の可視光線を３０％以上透過する部材の酸素透過係数が３０００ｃｃ・２５μｍ／ｍ２・２４ｈｒ・ａｔｍ（２５℃６５％ＲＨ）以下であることを特徴とする請求項１〜７に記載のインキ終了検知式筆記具。
【請求項９】
前記インキ誘導部の少なくともインキと接する部分の表面自由エネルギーがインキの表面自由エネルギーよりも小さいことを特徴とする請求項１〜８に記載のインキ終了検知式筆記具。
【請求項１０】
前記インキ誘導部の内壁面とインキとの接触角が３０°以上あることを特徴とする請求項１〜９に記載のインキ終了検知式筆記具。
【請求項１１】
前記インキ誘導部の内壁面が撥水処理されていることを特徴とする請求項１〜１０に記載のインキ終了検知式筆記具。
【請求項１２】
前記インキ誘導部の内壁面の一部に微小な凹凸を設けて文字、図形を形成したことを特徴とする請求項１〜１１に記載のインキ終了検知式筆記具。
【請求項１３】
前記インキ誘導部の内壁面に設けた凹凸の部分にはインキとの親水処理を施したことを特徴とする請求項１〜１２に記載のインキ終了検知式筆記具。
【発明の詳細な説明】
【技術分野】
【０００１】
本発明は、軸筒内のインキ吸蔵体に含浸されたインキを筆記部となるペン先に供給する筆記具に関し、更に詳しくは、この構造においてインキの終了サインを間違いなく検知することができると共に、軸筒又は筆記部の陰となる筆記方向の部分を視認できるインキ終了検知式筆記具に関する。
【背景技術】
【０００２】
軸筒内のインキ吸蔵体に含浸されたインキを筆記部となるペン先に供給する筆記具、所謂中綿式筆記具においては、インキの終了時期を判断し辛いという欠点を有している。
【０００３】
本出願人は、この欠点を解決するために、新しく効果的な機構を発明して提案している。（例えば、特許文献１）
【０００４】
特許文献１については、インキの終了をペン芯とインキ吸蔵体の間に視認性を有するインキ誘導管を介して連結し、軸筒の視認部を介してインキ吸蔵体からのインキの終了サインを視認することにより検知する優れたメカニズムであるが、インキ誘導管内部のインキ流路をインキが流れなくなってインキ誘導管が透明になったのを軸筒の視認部から視て検知するので、インキの終了サインとしては地味なため、終了サインを使用者が気付かずに、インキが終了したのにもかかわらず、再び使用してしまい、筆記できないことに気がつくということが起こり得る。
【０００５】
また、特許文献１のインキ終了検知式筆記具はインキ吸蔵体内のインキが終了するとインキ誘導管内部のインキ流路をインキが流れなくなりインキ誘導管が透明にはなるが、インキが終了する以前はインキが流れているのでインキ誘導管を介して筆記方向を視認することはできず、特にマーキングペンとして用いる場合、通常のマーキングペンと同様に、軸筒又は筆記部の陰となる筆記方向の部分を視認することはできない。
【０００６】
通常のマーキングペンにおいては、本出願人はすでに、筆記部を介して筆記方向を視認しながらマーキングする機構を開発し、提案している。（例えば、特許文献２）
【０００７】
しかしながら、特許文献２のマーキングペンは、インキの終了を検知できる機能は備わっておらず、軸筒又は筆記部の陰となる筆記方向の部分を視認しながらマーキングでき、なおかつインキが終了したことを視覚的にも判別しやすく、簡易的な構造で検知できる筆記具が望まれていた。
【特許文献１】特開２００３−３４１２７９号特許第３４７４８７６号（特許請求の範囲等）
【特許文献２】特開２０００−５２６８２号（特許請求の範囲等）
【発明の開示】
【発明が解決しようとする課題】
【０００８】
本発明は、上記特許文献１のようなメカニズムを改良し、インキ吸蔵体内のインキが終了した時点では、確実にインキ終了サインを検知することができるようにすると共に、特許文献２の機構も改良、付加して、軸筒又は筆記部の陰となる筆記方向の部分を視認できるようにしたもので、視覚的にも面白く、美的にも優れたインキ終了検知式筆記具を提供することを目的とする。
【課題を解決するための手段】
【０００９】
本発明者らは、上記課題等に鑑み、これを解決しようとするものであり、インキ誘導管の形状を、内部にスリット状のインキ流路を設けた略板状にすることによって、本発明を完成するに至ったのである。
すなわち、本発明のインキ終了検知式筆記具は、次の（１）〜（１０）に存する。
（１）軸筒内のインキ吸蔵体に含浸されたインキを筆記部となるペン先に供給する筆記具であり、上記インキ吸蔵体に含浸されたインキが、インキ誘導部を介してペン先に供給され、インキ吸蔵体のインキの終了をインキ誘導部を視認することにより検知するインキ終了検知式筆記具において、当該筆記具は少なくとも軸筒の一部、若しくは筆記部に筆記方向を視認できる可視部を備えたことを特徴とするインキ終了検知式筆記具。
（２）前記可視部内にインキ誘導部を有し、かつインキ吸蔵体のインキの終了は該インキ誘導部を視認することにより検知することを特徴とする（１）に記載のインキ終了検知式筆記具。
（３）前記インキ誘導部はスリット状のインキ流路を設けた略板状であることを特徴とする（１）又は（２）に記載のインキ終了検知式筆記具。
（４）前記インキ誘導部の少なくとも下部に上記インキ誘導部からのインキを導出する筆記部を備え、かつインキ誘導部と筆記部とが一体に形成されてなる（１）〜（３）に記載のインキ終了検知式筆記具。
（５）前記インキ誘導部内のスリット状のインキ流路のスリットの最大幅が０．０１ｍｍ以上、１ｍｍ以下であり、スリット幅がペン体の長軸長の４０％以上、１００％未満であることを特徴とする（１）〜（４）に記載のインキ終了検知式筆記具。
（６）前記インキ誘導部が可視光線を３０％以上透過する透明又は半透明部材によって形成されたことを特徴とする（１）〜（５）に記載のインキ終了検知式筆記具。
（７）前記インキ誘導部の可視光線を３０％以上透過する部材が熱可塑性樹脂であることを特徴とする（１）〜（６）に記載のインキ終了検知式筆記具。
（８）前記インキ誘導部の可視光線を３０％以上透過する部材の酸素透過係数が３０００ｃｃ・２５μｍ／ｍ２・２４ｈｒ・ａｔｍ（２５℃６５％ＲＨ）以下であることを特徴とする（１）〜（７）に記載のインキ終了検知式筆記具。
（９）前記インキ誘導部の少なくともインキと接する部分の表面自由エネルギーがインキの表面自由エネルギーよりも小さいことを特徴とする（１）〜（８）に記載のインキ終了検知式筆記具。
（１０）前記インキ誘導部の内壁面とインキとの接触角が３０°以上あることを特徴とする（１）〜（９）に記載のインキ終了検知式筆記具。
（１１）前記インキ誘導部の内壁面が撥水処理されていることを特徴とする（１）〜（１０）に記載のインキ終了検知式筆記具。
（１２）前記インキ誘導部の内壁面の一部に微小な凹凸を設けて文字、図形を形成したことを特徴とする（１）〜（１１）に記載のインキ終了検知式筆記具。
（１３）前記インキ誘導部の内壁面に設けた凹凸の部分にはインキとの親水処理を施したことを特徴とする（１）〜（１２）に記載のインキ終了検知式筆記具。
【発明の効果】
【００１０】
本発明は、前記のように構成されており、インキ吸蔵体内のインキが終了した時点では、確実にインキの終了を検知することができるようにすると共に、軸筒又は筆記部の陰となる筆記方向の部分を視認できるようにしたもので、視覚的にも面白く、美的にも優れたものとなる。
【発明を実施するための最良の形態】
【００１１】
以下に、本発明を実施するための最良の実施形態を詳しく説明する。まず、本発明のインキ終了検知式筆記具の構造について図面を参照しながら説明する。図１は、本発明のインキ終了検知式筆記具の一実施形態を示すものであり、図２は、図１のＡ−Ａ断面図で、図３は、図１のＢ−Ｂ断面図である。本実施形態では扁平な楕円形状をしたマーキングペンを示しているが、サインペン、ホワイトボード用マーカー等にも好適に使用することができるものである。また、図示していないが、ペン先がボールを保持する構造のボールペン等の筆記具であってもなんら差し支えがない。
本実施形態の筆記具は、図１に示すように、筆記具本体となる軸筒１０、インキ吸蔵体２０、インキの終了を検知するインキ誘導部となりかつ筆記方向を視認できる可視部となるインキ誘導管３０、ペン先４０、尾栓６０とを備えている。
軸筒１０は、例えば、熱可塑性樹脂、熱硬化性樹脂、ガラス等で形成されるものであり、先端側がテーパー部を有する小径部１０ａと、大径部１０ｂとが一体となったものであり、該小径部１０ａ内にはペン先４０を嵌着する嵌着部１１を有すると共に、大径部１０ｂ内はインキ誘導管３０によって連結された筆記具用インキを含浸したインキ吸蔵体２０を収容する構造となっている。
【００１２】
また、軸筒１０内に収容したインキの終了を検知するインキ誘導部となりかつ筆記方向を視認できる可視部となるインキ誘導管３０の位置に相当する部分の、軸筒１０の一部または全部を軸筒内のインキ誘導管３０を視認できるように透明体または半透明体から構成された視認部１２とする。
なお、軸筒１０全体を視認性を有する透明または半透明材料から構成して、軸筒１０全体を軸筒内部を視認できるようにしてもよく、また、軸筒１０全体を視認性を有する透明または半透明材料から構成して、視認部１２以外を着色部や装飾部として非視認部としてもよいものである。
【００１３】
インキ吸蔵体２０は、水性インキ、油性インキなどの筆記具用インキを含浸したものであり、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種または２種以上の組み合わせからなる繊維束、フェルト等の繊維束を加工したもの、また、スポンジ、樹脂粒子の焼結体等の多孔体を含むものである。
【００１４】
インキ誘導管３０は、図１に示すように、インキの終了を検知するインキ誘導部となりかつ筆記方向を視認できる可視部となるインキ流通部材となるものであり、視認性を有する略板状の内部にスリット状のインキ流路３１を設けている。また、図示していないが、スリット状のインキ流路は、平板状の他、曲面板状の組み合わせから構成したスリットでも良いものである。
【００１５】
インキ誘導管３０の内部に設けたスリット状のインキ流路３１のスリットの最大幅は、０．０１ｍｍ以上、１ｍｍ以下が望ましい。０．０１ｍｍ未満であると、毛管力が発生してしまい、上手くインキが切れず、１ｍｍを超えると、インキが光線を吸収してしまい、向こう側（筆記面）が見えなくなる。
また、スリット幅とは、インキ流路３１を形成するインキ誘導管３０内のスリットの幅のことで、スリット幅がペン体の長軸長の４０％未満では、窓が狭くて筆記面が見づらく、１００％以上では、ペン体全体の構成上無理がある。
【００１６】
インキ誘導管３０は、可視光線を３０％以上、望ましくは６０％以上、更に望ましくは８０％以上透過する材質で形成される。可視光線を３０％透過する材質を使用した場合は、向こう側が薄く見える状態で、使用には差し支えないが、よく見えるようにするには、６０％以上透過する材質が望ましく、８０％以上であれば完璧である。具体的な材料としては、ＰＰ、ＰＥ、ＰＥＴ、ＰＥＮ、ナイロン（６ナイロン、１２ナイロン等一般的なもの以外に非晶質ナイロン等を含む）、ポリメチルペンテン、ポリスチレン、ＡＢＳ等を挙げることができる。
【００１７】
また、上記材質の酸素透過係数が３０００ｃｃ・２５μｍ／ｍ２・２４ｈｒ・ａｔｍ（２５℃６５％ＲＨ）以下であることが望ましい。この数値を超えると、インキ誘導管内に気泡が発生して、インキの終了前にインキ誘導管内のインキが切れてしまうことがあり、正確なインキ終了検知ができなくなる。
【００１８】
更に、インキ吸蔵体２０からインキ誘導管３０内のインク終了検知表示をスムーズに行うために、上記インキ誘導管３０内の少なくともインキと接触する壁面にインキの表面自由エネルギーよりも低下させる表面処理を施してもよい。具体的には、フッ素コートやフッ素樹脂コート、またはジメチルシリコーンを骨格とするシリコーン樹脂コート処理等が挙げられる。
【００１９】
インキ誘導管３０の内壁面とインキとの接触角が３０°以上あることが望ましい。３０°未満では、インキ誘導管内のインキ流路中のインキが上手く切れない可能性がある。
【００２０】
この構成により、軸筒１０の視認部１２を介してインキの終了を検知するインキ誘導部であるインキ誘導管３０を視認することによりインキの終了を検知できるとともに、筆記方向を視認できる可視部となるインキ誘導管３０を介して筆記具の陰となる筆記方向の文字等も見ることができるようになる。
【００２１】
また、本実施形態では、筆記具を扁平な楕円形状とし、インキ誘導管も略板状に幅広く形成しているため、インキの終了を確実に検知することができるとともに、視覚的にもおもしろく、かつ美的感覚にも優れている。
【００２２】
ペン先４０は、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種または２種以上の組み合わせからなる平行繊維束、フェルト等の繊維束を加工又はこれらの繊維束を樹脂加工した繊維芯、または、各種のプラスチック粉末などを融結したポーラス体などからなるペン先からなるものであり、その形状も筆記具の形態、例えば、マーキングペン、サインペン等に応じて各形状のものが選択されるものである。
【００２３】
図４は、本発明の第１の実施形態のインキ誘導管３０の長軸面の形状を膨らませてインキ誘導管の外側面が軸筒内壁面に接するように形成したＢ−Ｂ断面図であり、レンズ効果のために、軸筒の可視部を介して視認した文字や図形が拡大されて見える効果がある。
【００２４】
図５は、第２の実施形態を示す概要図であり、図６は、そのＣ−Ｃ断面図である。本実施形態では、略板状のインキ誘導管３０を軸筒先端部より突出させ、インキ誘導管３０の先端部にプラスチック粉末や金属粉末等を焼結して形成した筆記部４１を設けたもので、筆記部の直上を視認可能としたものであり、アンダーライン用のマーキングペンとして最適であるとともに、インキ終了も正確に検知することができる。
【００２５】
図７及び図８は、本発明の第３の実施形態を示す概要図であり、図７は、インキ誘導管３０内にインキがある状態で、図８は、インキ吸蔵体２０のインキが終了して、インキ誘導管３０内のインキがなくなった時の状態を説明している。ここにおいて、インキ誘導管３０は、スリット状に形成したインキ誘導管３０内のインキ流路３１のインキと接する壁面の一方、あるいは両方に微小な凸部もしく凹部を設けて、文字（実施例では、「終了」）や図形を形成したもので、この微小な凸部もしく凹部の部分にはインキとの親水処理を施してある。これにより、インキ終了前のインキが充満している状態では、文字や図形は表示されないが、インキが終了し透明若しくは半透明の材質で形成されるインキ誘導管３０内のインキが無くなると文字や図形の微小な凸部もしく凹部の部分にだけインキが付着して残っており、文字や図形がはっきりと視認できるようになる。これによって、インキの終了を確実に検知することができるとともに、宣伝広告用として使用することもでき、視覚的にもおもしろいものである。
【００２６】
本発明は、以上のごとく構成されているが、実施形態は前記以外にも前記の各実施形態を組み合わせても良く、また以上の実施形態に限られるものでもなく、その効果も種々期待できる。いずれにしても、インキの終了サインを確実に検知すると共に、軸筒又は筆記部の陰となる筆記方向の部分を視認できるインキ終了検知式筆記具を提供することができるものである。
【図面の簡単な説明】
【００２７】
【図１】本発明の第１の実施形態を示す筆記具の概要断面図である。
【図２】本発明の第１の実施形態のＡ−Ａ断面図である。
【図３】本発明の図１のＢ−Ｂ断面図である。
【図４】本発明の第１の実施形態のインキ誘導管の他の実施形態を示すＢ−Ｂ断面図である。
【図５】本発明の第２の実施形態の概要図である。
【図６】本発明の第２の実施形態のＣ−Ｃ断面図である。
【図７】本発明の第３の実施形態のインキがある状態での概要図である。
【図８】本発明の第３の実施形態のインキが終了した時点での概要図である。
【符号の説明】
【００２８】
１０    軸筒
１２    視認部
２０    インキ吸蔵体
３０    インキ誘導管
３１    スリット状インキ流路
４０    ペン先
４１    焼結体ペン先部
５０    インキ貯溜体
６０    尾栓
【図１】
2005246606.tif 000003
【図２】
2005246606.tif 000004
【図３】
2005246606.tif 000005
【図４】
2005246606.tif 000006
【図５】
2005246606.tif 000007
【図６】
2005246606.tif 000008
【図７】
2005246606.tif 000009
【図８】
2005246606.tif 000010